(57)【要約】【課題】フェンスを少人数で容易かつ短時間に構築することができるフェンス用継手を提供する。【解決手段】支柱４Ａにパネル３Ａを取り付けるためのフェンス用継手Ａにおいて、一方の継手金具１と他方の継手金具２とからなり、一方の継手金具１および他方の継手金具２は、それぞれ支柱４Ａに当接される支柱用当接部１Ａ、２Ａとパネル３Ａに当接されるパネル用当接部１Ｂ、２Ｂとを有し、一方の継手金具１の支柱用当接部１Ａには、一方の継手金具１を支柱４Ａに固定するためのボルト５の頭部径より小さなボルト孔６が形成され、他方の継手金具２の支柱用当接部２Ａには、ボルト５の頭部径より大きい開口７が形成され、パネル３Ａは、一方の継手金具１および他方の継手金具２のパネル用当接部間１Ｂ、２Ｂに挟持される。【選択図】図１
2010196393.tif 000002
【特許請求の範囲】
【請求項１】
支柱にパネルを取り付けるためのフェンス用継手において、
一方の継手金具と他方の継手金具とからなり、前記一方の継手金具および前記他方の継手金具は、それぞれ前記支柱に当接される支柱用当接部と前記パネルに当接されるパネル用当接部とを有し、前記一方の継手金具の前記支柱用当接部には、前記一方の継手金具を前記支柱に固定するためのボルトの頭部径より小さなボルト孔が形成され、前記他方の継手金具の前記支柱用当接部には、前記ボルトの頭部径より大きい開口が形成され、前記パネルは、前記一方の継手金具および前記他方の継手金具の前記パネル用当接部間に挟持されることを特徴とするフェンス用継手。
【請求項２】
前記パネル用当接部は、前記支柱用当接部の一方側に形成されていることを特徴とする、請求項１に記載のフェンス用継手。
【請求項３】
前記パネル用当接部は、前記支柱用当接部の両側に形成されていることを特徴とする、請求項１に記載のフェンス用継手。
【請求項４】
前記支柱用当接部は、円弧状に形成されていることを特徴とする、請求項１から３の何れか１つに記載のフェンス用継手。
【発明の詳細な説明】
【技術分野】
【０００１】
この発明は、フェンス用継手、特に、フェンスを少人数で容易かつ短時間に構築することができるフェンス用継手に関するものである。
【背景技術】
【０００２】
従来フェンスの一例を、図４に示す。図４は、従来フェンスを示す部分正面図、図５は、従来フェンスを示す分解斜視図である。
【０００３】
図４および図５に示すように、従来フェンスは、丸パイプからなる支柱４１Ａ、４１Ｂ間に目隠し用下段パネル４２Ａ（以下、単に、下段パネル４２Ａという）と目隠し用上段パネル４２Ｂ（以下、単に、上段パネル４２Ｂという。）とを上下２段に固定したものからなっている。４１Ａは、端部柱であり、４１Ｂは、中間柱である。パネル４２Ａ、４２Ｂは、この例では、鋼板にルーバー加工が施されたものであるが、ルーバー加工が施されたもの以外に、たとえば、パンチング加工を施したものでも良い。以下に説明する、この発明においても同様である。
【０００４】
下段パネル４２Ａの一方の端部は、端部継手４３、４４を介して端部柱４１Ａに固定され、上段パネル４２Ｂの一方の端部は、端部継手４５、４６を介して端部柱４１Ａに固定されている。
【０００５】
下段パネル４２Ａの他方の端部は、中間継手４７、４８を介して中間柱４１Ｂに固定され、上段パネル４２Ｂの他方の端部は、中間継手４９、５０を介して中間柱４１Ｂに固定されている。
【０００６】
端部継手４３、４４は、それぞれ同じ形状で、端部柱４１Ａに当接される支柱用当接部４３Ａ、４４Ａと、支柱用当接部４３Ａ、４４Ａの一方側に形成された、下段パネル４２Ａの両面に当接されるパネル用当接部４３Ｂ、４４Ｂとを有している。端部継手４５は、端部継手４３、４４と同じ形状で、端部柱４１Ａに当接される支柱用当接部４５Ａと、支柱用当接部４５Ａの一方側に形成された、上段パネル４２Ｂの両面に当接されるパネル用当接部４５Ｂとを有している。端部継手４６は、端部柱４１Ａの頭部に嵌め込まれるキャップ４６Ａと上段パネル４２Ｂの両面に当接されるパネル用当接部４６Ｂとを有している。
【０００７】
中間継手４７、４８は、それぞれ同じ形状で、それぞれ一対の継手金具からなり、各継手金具は、中間支柱４１Ｂに当接される支柱用当接部４７Ａ、４８Ａと、支柱用当接部４７Ａ、４８Ａの両側に形成された、下段パネル４２Ａの両面に当接されるパネル用当接部４７Ｂ、４８Ｂとを有している。中間継手４９は、中間継手４７、４８と同じ形状で、中間柱４１Ｂに当接される支柱用当接部４９Ａと、支柱用当接部４９Ａの両側に形成された、上段パネル４２Ｂの両面に当接されるパネル用当接部４９Ｂとを有している。中間継手５０は、中間柱４１Ｂの頭部に嵌め込まれるキャップ５０Ａと、キャップ５０Ａの両側に形成された、上段パネル４２Ｂの両面に当接されるパネル用当接部５０Ｂとを有している。
【０００８】
このように構成されている、従来フェンスの構築方法の一例を、図５を参照しながら以下に説明する。
【０００９】
先ず、端部柱４１Ａに端部継手４３、４４を差し込む。次いで、端部柱４１Ａと中間支柱４１Ｂとの間に所定高さの仮置き台５１（図４参照）を置く。次いで、下段パネル４２Ａを仮置き台５１上に乗せ、下段パネル４２Ａの一方の端部を端部柱４１Ａに端部継手４３、４４を介してボルト５２、５３により仮止めする。次いで、下段パネル４２Ａの他方の端部を中間継手４７、４８を介してボルト５４、５５により仮止めする。このようにして、端部柱４１Ａと中間柱４１Ｂとの間に下段パネル４２Ａを仮止めしたら、下段パネル４２Ａの隣（図５中、右側）に、中間継手４７、４８を介して別の下段パネル４２Ａを仮止めする。
【００１０】
このようにして、下段パネル４２Ａの仮止めが終わったら、端部柱４１Ａに端部継手４５を差し込み、端部継手４６のキャップ４６Ａを端部柱４１Ａの頭部に嵌め込む。次いで、上段パネル４２Ｂの一方の端部を端部継手４５、４６を介してボルト５６、５７により仮止めする。次いで、上段パネル４２Ｂの他方の端部を中間継手４９、５０を介してボルト５８、５９により仮止めする。このようにして、端部柱４１Ａと中間柱４１Ｂとの間に上段パネル４２Ｂを仮止めしたら、上段パネル４２Ｂの隣（図５中、右側）に、中間継手４９、５０を介して別の上段パネル４２Ｂを仮止めする。
【００１１】
以上のようにして、下段パネル４２Ａおよび上段パネル４２Ｂを仮止めしたら、各パネル４２Ａ、４２Ｂの最終的な位置決めを行った後、各ボルトを本締めする。
【００１２】
このようにして、従来フェンスの構築が完了する。なお、この例は、パネルが目隠しパネルであるが、これ以外のパネルであっても同様である。
【発明の概要】
【発明が解決しようとする課題】
【００１３】
上述した従来フェンスによれば、継手を介してパネルが確実に支柱に固定されるが、以下のような問題があった。
【００１４】
（ａ）下段パネル４２Ａおよび上段パネル４２Ｂの仮止めに際しては、複数の作業員によりパネルを保持する必要があるので、人手が必要である。
（ｂ）下段パネル４２Ａおよび上段パネル４２Ｂの隣に中間継手４７、４８、４９、５０を介して別の下段および上段パネルを仮止めする際には、中間継手４７、４８、４９、５０の一方のパネル当接部４７Ｂ、４８Ｂ、４９Ｂ、５０Ｂに既設のパネルが仮止めされているので、仮止めのボルトを一端外すかボルトを緩めないと、隣のパネルの仮止めが行えない。
（ｃ）各パネルの仮止めを行った後でないと、ボルトの本締めが行えないので、フェンスの構築に時間を要する。
【００１５】
従って、この発明の目的は、フェンスを少人数で容易かつ短時間に構築することができるフェンス用継手を提供することを目的とするものである。
【課題を解決するための手段】
【００１６】
この発明は、下記を特徴とする。
【００１７】
請求項１に記載の発明は、支柱にパネルを取り付けるためのフェンス用継手において、一方の継手金具と他方の継手金具とからなり、前記一方の継手金具および前記他方の継手金具は、それぞれ前記支柱に当接される支柱用当接部と前記パネルに当接されるパネル用当接部とを有し、前記一方の継手金具の前記支柱用当接部には、前記一方の継手金具を前記支柱に固定するためのボルトの頭部径より小さなボルト孔が形成され、前記他方の継手金具の前記支柱用当接部には、前記ボルトの頭部径より大きい開口が形成され、前記パネルは、前記一方の継手金具および前記他方の継手金具の前記パネル用当接部間に挟持されることに特徴を有するものである。
【００１８】
請求項２に記載の発明は、請求項１に記載のフェンス用継手において、前記パネル用当接部は、前記支柱用当接部の一方側に形成されていることに特徴を有するものである。
【００１９】
請求項３に記載の発明は、請求項１に記載のフェンス用継手において、前記パネル用当接部は、前記支柱用当接部の両側に形成されていることに特徴を有するものである。
【００２０】
請求項４に記載の発明は、請求項１から３の何れか１つに記載のフェンス用継手において、前記支柱用当接部は、円弧状に形成されていることに特徴を有するものである。
【発明の効果】
【００２１】
この発明によれば、支柱にパネルを取り付けるためのフェンス用継手を、一方の継手金具と他方の継手金具とによって構成し、それぞれに支柱用当接部とパネル用当接部とを形成し、一方の継手金具の支柱用当接部には、一方の継手金具を支柱に固定するためのボルトの頭部径より小さなボルト孔を形成し、他方の継手金具の支柱用当接部には、このボルトの頭部径より大きい開口を形成することによって、他方の継手金具の後付けが可能となる。この結果、パネルを一方の継手金具を介して予め支柱に本締めして固定することができ、しかも、パネルの組み立てに際して、継手とパネルとの位置調整を行う必要がないので、フェンスを少人数で容易かつ短時間に構築することができる。
【図面の簡単な説明】
【００２２】
【図１】この発明のフェンス用継手による端部柱へのパネル端部の取り付け状態を示す分解斜視図である。
【図２】この発明のフェンス用継手による中間柱へのパネル端部の取り付け状態を示す分解斜視図である。
【図３】この発明のフェンス用継手による中間柱へのパネルの取り付け状態を示す部分背面図である。
【図４】従来フェンスを示す部分正面図である。
【図５】従来フェンスを示す分解斜視図である。
【発明を実施するための形態】
【００２３】
この発明のフェンス用継手の一実施態様を、図面を参照しながら説明する。
【００２４】
図１は、この発明のフェンス用継手による端部柱へのパネル端部の取り付け状態を示す分解斜視図、図２は、この発明のフェンス用継手による中間柱へのパネル端部の取り付け状態を示す分解斜視図である。なお、以下の説明において、左、右、上、下は、紙面に対する方向である。
【００２５】
図１に示すように、この発明のフェンス用継手Ａは、目隠し用パネル等の上段パネル３Ａの上部を端部柱４Ａの上部に固定するものであり、一方の継手金具１と他方の継手金具２とからなっている。一方の継手金具１および他方の継手金具２は、それぞれ端部柱４Ａに当接される円弧状支柱用当接部１Ａ、２Ａと、支柱用当接部１Ａ、２Ａの一方側に形成された、上段パネル３Ａに当接される板状パネル用当接部１Ｂ、２Ｂとを有している。
【００２６】
一方の継手金具１の支柱用当接部１Ａには、一方の継手金具１を端部柱４Ａに固定するためのボルト５の頭部径より小さなボルト孔６が形成されている。回り止めのためにボルト５には、頭部の下面に角柱部が形成され、ボルト孔６は、四角形状に形成されている。以下に説明する全てのボルトおよびボルト孔も同様である。
【００２７】
他方の継手金具２の支柱用当接部２Ａには、ボルト５の頭部径より大きい開口７が形成されている。ボルト５とこれに螺合するナット８の外径は等しいので、開口７は、ナット８の外径より大きいことになる。一方の継手金具１および他方の継手金具２のパネル用当接部１Ｂ、２Ｂの上縁は、互いに内側に湾曲しており、上段パネル３Ａの上面に当接される。
【００２８】
一方の継手金具１および他方の継手金具２のパネル用当接部１Ｂ、２Ｂには、上段パネル３Ａを固定するためのボルト９のボルト孔１０、１１が形成されている。一方の継手金具１は、ボルト５、ナット８により端部柱４Ａの上部に固定され、他方の継手金具２は、ボルト９、ナットにより上部パネル３Ａに固定される。
【００２９】
図１に示すように、この発明のフェンス用継手Ｂは、上段パネル３Ａの下部と下段パネル３Ｂの上部とを端部柱４Ａの中央部に固定するものであり、一方の継手金具１２と他方の継手金具１３とからなっている。一方の継手金具１２および他方の継手金具１３は、それぞれ端部柱４Ａに当接される円弧状支柱用当接部１２Ａ、１３Ａと、支柱用当接部１２Ａ、１３Ａの一方側に形成された、両パネル３Ａ、３Ｂに当接される板状パネル用当接部１２Ｂ、１３Ｂとを有している。
【００３０】
一方の継手金具１２において、支柱用当接部１２Ａには、ボルト孔１４が形成され、パネル用当接部１２Ｂには、ボルト孔１５が上下に２個形成されている。他方の継手金具１３において、支柱用当接部１３Ａには、開口１６が形成され、パネル用当接部１３Ｂには、ボルト孔１７が上下に２個形成されている。一方の継手金具１２は、ボルト５、ナット８により端部柱４Ａの中央部に固定され、他方の継手金具１３は、ボルト９、ナットにより上段パネル３Ａと下段パネル３Ｂとに跨って固定される。
【００３１】
図２に示すように、この発明のフェンス用継手Ｃは、左右の上段パネル３Ａの上部を中間柱４Ｂの上部に固定するものであり、一方の継手金具１８と他方の継手金具１９とからなっている。一方の継手金具１８および他方の継手金具１９は、それぞれ中間柱４Ｂに当接される円弧状支柱用当接部１８Ａ、１９Ａと、支柱用当接部１８Ａ、１９Ａの両側に形成された、上段パネル３Ａに当接される一対の板状パネル用当接部１８Ｂ、１９Ｂとを有している。
【００３２】
一方の継手金具１８において、支柱用当接部１８Ａには、ボルト孔２０が形成され、パネル用当接部１８Ｂには、ボルト孔２１が形成されている。他方の継手金具１９において、支柱用当接部１９Ａには、開口２２が形成され、パネル用当接部１９Ｂには、ボルト孔２３が形成されている。一方の継手金具１８は、ボルト５、ナット８により中間柱４Ｂの上部に固定され、他方の継手金具１９は、ボルト９、ナットにより左右の上部パネル３Ａに跨って固定される。
【００３３】
図２に示すように、この発明のフェンス用継手Ｄは、左右の上段パネル３Ａの下部と左右の下段パネル３Ｂの上部とを中間柱４Ｂの中央部に固定するものであり、一方の継手金具２４と他方の継手金具２５とからなっている。一方の継手金具２４および他方の継手金具２５は、それぞれ中間柱４Ｂに当接される円弧状支柱用当接部２４Ａ、２５Ａと、支柱用当接部２４Ａ、２５Ａの両側に形成された、左右の上段パネル３Ａと左右の下段パネル３Ｂとに当接される板状パネル用当接部２４Ｂ、２５Ｂとを有している。
【００３４】
一方の継手金具２４において、支柱用当接部２４Ａには、ボルト孔２６が形成され、パネル用当接部２４Ｂには、ボルト孔２７が上下に２個形成されている。他方の継手金具２５において、支柱用当接部２５Ａには、開口２８が形成され、パネル用当接部２５Ｂには、ボルト孔２９が上下に２個形成されている。一方の継手金具２４は、ボルト５、ナット８により中間柱４Ｂの中央部に固定され、他方の継手金具２５は、ボルト９、ナットにより左右の上段パネル３Ａおよび左右の下段パネル３Ｂとに跨って固定される。
【００３５】
図１において、Ｅは、端部柱用下部継手であり、一対の継手金具からなり、ボルト３０により予め端部柱４Ａの下部に固定される。端部柱用下部継手Ｅの下面は、下部パネル３Ｂを載置できるように内側に湾曲していて、一対の継手金具間に挟み込まれた下部パネル３Ｂの下部をボルト３１により固定できるようになっている。
【００３６】
図２において、Ｆは、中間柱用下部継手であり、一対の継手金具からなり、ボルト３２により予め中間柱４Ｂの下部に固定される。中間柱用下部継手Ｆの下面は、左右の下段パネル３Ｂを載置できるように内側に湾曲していて、一対の継手金具間に挟み込まれた左右のパネル３Ｂの下部をボルト３３により固定できるようになっている。
【００３７】
このように構成されている、この発明のフェンス用継手Ａ、Ｂ、Ｃ、Ｄによれば、以下のようにして、フェンスが構築される。
【００３８】
先ず、端部柱４Ａおよび中間柱４Ｂの下部に端部柱用下部継手Ｅと中間柱用下部継手Ｆとをボルト３０、３２により固定する。また、端部柱４Ａおよび複数本の中間柱４Ｂの各々にフェンス用継手Ａ、Ｂ、Ｃ、Ｄの一方の継手金具１、１２、１８、２４をボルト５とナット８とによりそれぞれ固定する。これら継手金具の固定高さは予め決められているので、ボルト５は本締めすることができる。
【００３９】
次いで、下部パネル３Ｂを端部柱用下部継手Ｅおよび中間柱用下部継手Ｆの上に載置する。この作業は下部パネル３Ｂを持ち上げるのみで良いので１人で行える。次いで、端部柱用下部継手Ｅ、中間柱用下部継手Ｆにより下部パネル３Ｂの下両端部をボルト３１、３３により固定し、フェンス用継手Ｂの他方の継手金具１３をボルト９により下部パネル３Ｂの左側上端部に固定する。次いで、下部パネル３Ｂの隣に別の下部パネル３Ｂ（図２の右側）を、隣の端部柱用下部継手Ｅおよび中間柱用下部継手Ｆの上に載置する。次いで、フェンス用継手Ｄの他方の継手金具２５をボルト９により左右の下部パネル３Ｂに跨って固定する。
【００４０】
このようにして、下段パネル３Ｂの左側上下端部および右側下端部を固定した後、隣の別の下段パネル３Ｂの左側上下端部および右側下端部を固定することを繰り返し行って、下段パネル３Ｂを順次、支柱間に取り付ける。
【００４１】
下段パネル３Ｂの取り付けが完了したら、上段パネル３Ａを下部パネル３Ｂの上に乗せる。この際、フェンス用継手ＢとＤは既に固定されているが、斜め上方から差し込むことができる。次いで、フェンス用継手Ｂの他方の継手金具１３と上部パネル３Ａの左側下端部とをボルト９により固定する。次いで、フェンス用継手Ａの他方の継手金具２と上部パネル３Ａの左側上端部とをボルト９により固定する。次いで、フェンス用継手Ｄの他方の継手金具２５と上部パネル３Ａの右側下端部とをボルト９により固定する。
【００４２】
次いで、上部パネル３Ａの隣に別の上部パネル３Ａ（図２の右側）を、隣の下段パネル３Ｂの上に載置する。次いで、フェンス用継手Ｃの他方の継手金具１９をボルト９により左右の上部パネル３Ａに跨って固定する。
【００４３】
このようにして、上段パネル３Ａの左側上下端部および右側下端部を固定した後、隣の別の上段パネル３Ａの左側上下端部および右側下端部を固定することを繰り返し行って、上段パネル３Ａを順次、支柱間に取り付ける。
【００４４】
このようにして上段パネル３Ａの取り付けを行うことによって、フェンスを構築することができる。
【００４５】
なお、図３に示すように、例えば、フェンス用継手Ｃにおいて、一方の継手金具１８は、ボルト５、ナット８により中間柱４Ｂに固定されるが、他方の継手金具１９は、中間柱４Ｂには固定されない。他方の継手金具１９の開口２２は、ナット８の外径より大きいからである。しかし、他方の継手金具１９の両側のパネル用当接部１９Ｂが左右のパネル３Ａに固定されるので強度面で問題はない。他のフェンス用継手Ａ、Ｂ、Ｄに関しても同様である。
【００４６】
この発明によれば、フェンス用継手Ａ、Ｂ、Ｃ、Ｄの他方の継手金具２、１３、１９、２５の支柱用当接部２Ａ、１３Ａ、１９Ａ、２５Ａには、一方の継手金具１、１２、１８、２４を固定するナット８の径より大きい開口７、１６、２２、２８が形成されているので、他方の継手金具２、１３、１９、２５の後付けが行える。この結果、従来フェンスのように継手を仮止めする必要がなく、しかも、パネルの組み立てに際して、継手とパネルとの位置調整を行う必要がないので、フェンスを少人数で容易かつ短時間に構築することができる。
【符号の説明】
【００４７】
１、１２、１８、２４：一方の継手金具
１Ａ、２Ａ、１２Ａ、１３Ａ、１８Ａ、１９Ａ、２４Ａ、２５Ａ：支柱用当接部
１Ｂ、２Ｂ、１２Ｂ、１３Ｂ、１８Ｂ、１９Ｂ、２４Ｂ、２５Ｂ：パネル用当接部
２、１３、１９、２５：他方の継手金具
３Ａ：上段パネル
３Ｂ：下段パネル
４Ａ：端部柱
４Ｂ：中間柱
５、９、３０、３１、３２、３３：ボルト
６、１０、１１、１４、１５、１７、２０、２１、２３、２６、２７、２９：ボルト孔
７、１６、２２、２８：開口
８：ナット
【図１】
2010196393.tif 000003
【図２】
2010196393.tif 000004
【図３】
2010196393.tif 000005
【図４】
2010196393.tif 000006
【図５】
2010196393.tif 000007